(57)【特許請求の範囲】
【請求項１】
容器の口頸部に装着される本体部と、該本体部の上面を覆う閉位置と該本体部の上面を露呈せしめる開位置との間を旋回自在に該本体部に接続された冠帽部とを具備し、
該本体部は口頸部の上面を覆う主壁を有し、該主壁には流出開口又は除去されることによって流出開口を生成する切取領域が形成されていると共に、該流出開口又は該切取領域の周縁から上方に延出する円筒状である注出案内壁が形成されており、該注出案内壁の外周面には少なくとも該本体部に対する該冠帽部の旋回中心軸線の直径方向反対側を周方向に延在する係合突条が配設されており、
該冠帽部は円形天面壁と該天面壁の周縁から垂下する円筒状スカート壁とを有し、該天面壁にはその内面から垂下する円筒状シール壁が形成されており、該シール壁の内周面には、少なくとも該本体部に対する該冠帽部の該旋回中心軸線の直径方向反対側を周方向に延在する被係合突条が配設されており、
該冠帽部が該開位置から、該閉位置に対して５度＜α＜１５度である角度αをなす角度位置まで旋回閉動せしめられると該シール壁の該被係合突条が該注出案内壁の該係合突条に干渉し始め、該閉位置に対して１度＜β＜７度で且つβ＜αである角度βをなす角度位置まで旋回閉動せしめられると、該シール壁の該被係合突条が該注出案内壁の該係合突条を弾性的に乗り越えると共に、周方向全体に渡って該シール壁の内周面が該注出案内壁の外周面に密接せしめられる、
ことを特徴とする合成樹脂製容器蓋。
【請求項２】
該角度αは８度＜α＜１２度であり、該角度βは２度＜β＜４度である、請求項１記載の合成樹脂製容器蓋。
【請求項３】
少なくとも該本体部に対する該冠帽部の該旋回中心軸線の直径方向反対側において、該本体部には係止手段が配設されており、該冠帽部の該スカート壁の内周面には被係止手段が形成されており、該冠帽部が該角度βをなす角度位置から更に旋回閉動せしめられて該閉位置にせしめられると、該被係止手段が該係止手段を乗り越える、請求項１又は２記載の合成樹脂製容器蓋。
【発明の詳細な説明】
【０００１】
【発明の属する技術分野】
本発明は、食酢の如き調味料のための容器に特に好適に適用することができる、本体部と冠帽部とを備えた合成樹脂製容器蓋に関する。
【０００２】
【従来の技術】
食酢の如き調味料のための容器の口頸部に適用される容器蓋として、口頸部に装着される本体部と、本体部の上面を覆う閉位置と本体部の上面を露呈せしめる開位置との間を旋回自在に本体部に接続された冠帽部とを具備する合成樹脂製容器蓋が広く実用に供されている。本体部は容器の口頸部の上面を覆う円形主壁を有し、かかる主壁には環状破断ラインによって囲繞された切取領域が配設されており、かかる破断ラインを破断せしめて切取領域を除去することによって流出開口が生成される。かような切取領域を配設することに代えて、主壁に流出開口を形成することもできる。主壁には切取領域又は流出開口の周縁から上方に延出する注出案内壁も形成されている。本体部には、更に、係止手段も配設されている。一方、冠帽部は円形天面壁とこの天面壁の周縁から垂下する円筒状スカート壁とを有する。天面壁にはその内面から垂下する円筒状シール壁が形成されている。スカート壁には、本体部に対する冠帽部の旋回中心軸線の直径方向反対側に位置する被係止手段が配設されている。冠帽部を閉位置にせしめると、冠帽部のシール壁の外周面が本体部の注出案内壁の内周面に密接せしめられ、これによって流出開口が密封される。また、冠帽部のスカート壁に配設された被係止手段が本体部に配設された係止手段に係止せしめられ、これによって冠帽部が閉位置に維持される。冠帽部を開位置に旋回開動せしめると、冠帽部のシール壁が本体部の注出案内壁から離隔せしめられると共に、本体部の上面が露呈され、従って流出開口から容器内の内容物を流出することができる。注出案内壁は流出開口から流出される内容物を案内する。
【０００３】
【発明が解決しようとする課題】
而して、上述した形態の従来の容器蓋には、次のとおりの解決すべき問題が存在することが判明した。即ち、冠帽部を開位置に旋回開動せしめて内容物を所要量流出せしめた後に、冠帽部を閉位置に旋回閉動せしめる際には、閉位置に対して３度程度の著しく小さい角度をなす角度位置まで冠帽部を旋回閉動せしめた時点で始めて、冠帽部のスカート壁に配設されている被係止手段が本体部に配設されている係止手段に干渉し始める。そして、かかる角度位置を越えて冠帽部を更に旋回閉動せしめることによって、冠帽部に配設されている被係止手段が本体部に配設されている係止手段を乗り越え、冠帽部が閉位置にせしめられる。然るに、食酢の如き調味料は調理をしながら使用されることが多いが、本発明者等の経験によれば、特に消費者が冠帽部を閉位置まで完全に旋回閉動せしめたか否かを確認しない場合、上述した角度位置即ち被係止手段が係止手段に干渉し始める角度位置まで旋回閉動すると、かかる角度位置が閉位置に著しく近いことに起因して、冠帽部は閉位置ではなくて上述した角度位置であるにもかかわらず、消費者は冠帽部を完全に閉位置まで旋回閉動せしめたと誤認してしまうことが少なくない。そして、冠帽部を閉位置まで完全に旋回閉動することなく上述した角度位置のままで放置した場合には、冠帽部のシール壁の外周面が本体部の注出案内壁の内周面に未だ充分に密接せしめられていない故に、容器を誤って倒してしまった場合に内容物が漏出してしまう、微小な虫が容器内に侵入してしまう、という事態が発生する。
【０００４】
本発明は上記事実に鑑みてなされたものであり、その主たる技術的課題は、本体部とこの本体部に旋回自在に接続された冠帽部とを具備する合成樹脂製容器蓋を改良して、冠帽部が閉位置に対して著しく小さい角度をなす角度位置まで旋回閉動せしめられたが閉位置まで旋回閉動せしめられることなく放置された場合でも、容器を誤って倒してしまっても内容物の流出が防止され、そしてまた微小な虫が容器内に侵入することが阻止されるようにせしめることである。
【０００５】
【課題を解決するための手段】
本発明者等は鋭意研究の結果、本体部の注出案内壁の外周面に、少なくとも該本体部に対する該冠帽部の旋回中心軸線の直径方向反対側を周方向に延在する係合突条を配設すると共に、冠帽部の天面壁に、その内面から垂下する円筒状シール壁を形成し、かかるシール壁の内周面に、少なくとも本体部に対する冠帽部の旋回中心軸線の直径方向反対側を周方向に延在する被係合突条を配設し、冠帽部が開位置から、閉位置に対して５度＜α＜１５度である角度αをなす角度位置まで旋回閉動せしめられるとシール壁の被係合突条が注出案内壁の係合突条に干渉し始め、閉位置に対して１度＜β＜７度で且つβ＜αである角度βをなす角度位置まで旋回閉動せしめられると、シール壁の被係合突条が注出案内壁の係合突条を弾性的に乗り越えると共に、周方向全体に渡って該シール壁の内周面が注出案内壁の外周面に密接せしめられるように構成することによって、上記主たる技術的課題を達成することができることを見出した。
【０００６】
即ち、本発明によれば、上記主たる技術的課題を達成する合成樹脂製容器蓋として、容器の口頸部に装着される本体部と、該本体部の上面を覆う閉位置と該本体部の上面を露呈せしめる開位置との間を旋回自在に該本体部に接続された冠帽部とを具備し、
該本体部は口頸部の上面を覆う主壁を有し、該主壁には流出開口又は除去されることによって流出開口を生成する切取領域が形成されていると共に、該流出開口又は該切取領域の周縁から上方に延出する円筒状である注出案内壁が形成されており、該注出案内壁の外周面には少なくとも該本体部に対する該冠帽部の旋回中心軸線の直径方向反対側を周方向に延在する係合突条が配設されており、
該冠帽部は円形天面壁と該天面壁の周縁から垂下する円筒状スカート壁とを有し、該天面壁にはその内面から垂下する円筒状シール壁が形成されており、該シール壁の内周面には、少なくとも該本体部に対する該冠帽部の該旋回中心軸線の直径方向反対側を周方向に延在する被係合突条が配設されており、
該冠帽部が該開位置から、該閉位置に対して５度＜α＜１５度である角度αをなす角度位置まで旋回閉動せしめられると該シール壁の該被係合突条が該注出案内壁の該係合突条に干渉し始め、該閉位置に対して１度＜β＜７度で且つβ＜αである角度βをなす角度位置まで旋回閉動せしめられると、該シール壁の該被係合突条が該注出案内壁の該係合突条を弾性的に乗り越えると共に、周方向全体に渡って該シール壁の内周面が該注出案内壁の外周面に密接せしめられる、
ことを特徴とする合成樹脂製容器蓋が提供される。
【０００７】
好ましくは、該角度αは８度＜α＜１２度であり、該角度βは２度＜β＜４度である。好適実施形態においては、少なくとも該本体部に対する該冠帽部の該旋回中心軸線の直径方向反対側において、該本体部には係止手段が配設されており、該冠帽部の該スカート壁の内周面には被係止手段が形成されており、該冠帽部が該角度度βをなす角度位置から更に旋回閉動せしめられて該閉位置にせしめられると、該被係止手段が該係止手段を乗り越える。
【０００８】
【発明の実施の形態】
以下、本発明に従って構成された合成樹脂製容器蓋の好適実施形態を図示している添付図面を参照して、更に詳細に説明する。
【０００９】
図１乃至図３を参照して説明すると、本発明に従って構成された全体を番号２で示す容器蓋は、ポリプロピレン又はポリエチレンの如き適宜の合成樹脂から全体が一体に成形されている。かかる容器蓋２は本体部４と冠帽部６とを具備している。冠帽部６はヒンジ手段８を介して本体部４に接続されており、図１及び図２に図示する開位置と図３に図示する閉位置との間を旋回中心軸線１０を中心として旋回自在である。ヒンジ手段８自体は当業者には周知の形態でよく、従って本明細書においてはその詳細な説明を省略する。
【００１０】
本体部４は全体として円形である主壁１２を有する。この主壁１２の中央部には、切取領域１４を規定する破断ライン１６が形成されている。破断ライン１６は材料厚さを低減せしめた所謂スコアから形成されており、半円形状部とかかる半円形状部の両端から弦状に延びる一対の弦状部とを有し、切取領域１４は半円形状部と二等辺三角形状部とを合わせた形状である。切取領域１４には、その二等辺三角形状部の頂角部位から上方に延びる連結柱１８が付設されており、かかる連結柱１８の上半部には引張リング２０が接続されている。後に更に言及する如く、引張リング２０に指を掛けて引っ張ることによって破断ライン１６を破断して切取領域１４を主壁１２から除去すると、主壁１２に流出開口が生成される。所望ならば、切取領域１４を除去することによって流出開口を生成せしめることに代えて、主壁１２に予め流出開口を形成し、必要に応じてかかる流出開口を剥離自在な閉鎖部材によって閉じることもできる。主壁１２には、切取領域１４の周縁から上方に延びる円筒状である注出案内壁２２が形成されている。図示の注出案内壁２２における上端部は上方に向かって半径方向外方に傾斜して延びる逆円錐台形状であり、注出案内壁２２の外周面の上端部には、周方向全体に渡って延在する係合突条２４が配設されている。主壁１２には、更に、切取領域１４の周縁から下方に垂下する円筒状内側垂下壁２６も形成されている。
【００１１】
主壁１２の外周縁には上方に延びる円筒状突出壁２８と下方に垂下する円筒状外側垂下壁３０とが形成されている。突出壁２８の外周面の上端部には周方向全体に渡って延在する環状突条でよい係止手段３２が配設されている。外側垂下壁３０の内周面の下端部には周方向全体に渡って延在する環状突条３４が形成されている。そして外側垂下壁３０にはその下端から半径方向外方に実質上水平に突出する環状壁３６が接続されており、この環状壁３６の外周縁には更に下方に垂下する円筒状延出壁３８が接続されている。
【００１２】
図１乃至図３を参照して説明を続けると、冠帽部６は円形天面壁４０とこの天面壁４０の周縁から垂下する（即ち冠帽部６が図３に示す閉位置に位置せしめられている時に天面壁４０の周縁から下方に延びる）円筒状スカート壁４２とを有する。天面壁４０には、その内周面から垂下する（即ち冠帽部６が図３に示す閉位置に位置せしめられている時に天面壁４０の内周面から下方に延びる）、環状突出部４４及び円筒状シール壁４６が形成されている。突出部４４の垂下長さは比較的短く、その先端部外周面は断面図において半径方向内方に向かって円弧状に延びている。突出部４４の半径方向外側に同心状に配設されているシール壁４６は比較的長く垂下せしめられており、その先端部内周面は断面図において半径方向外方に向かって円弧状に延びている。シール壁４６の内周面の自由端部には、少なくとも本体部４に対する冠帽部６の旋回中心軸線１０の直径方向反対側を周方向に延びる被係合突条４８が配設されていることが重要である。図示の実施形態による被係合突条４８は、本体部４に対する冠帽部６の旋回中心軸線１０の直径方向反対側を角度γに渡って延びる円弧形状である。角度γは６０度乃至１２０度程度でよい。図示の好適実施形態としては、スカート壁４２の内周面には、少なくとも本体部４に対する冠帽部６の旋回中心軸線１０の直径方向反対側を周方向に延びる被係止手段５０が形成されている。被係止手段５０は、本体部４に対する冠帽部６の旋回中心軸線１０の直径方向反対側を角度δに渡って延びる円弧形状である。角度δは６０度乃至１２０度でよい。また、スカート壁４２の外周面には、その下端部に半径方向外方に突出する突出片５２も形成されている。
【００１３】
容器蓋２が適用される容器の口頸部５４も図示されている。ガラス或いはポリエチレンテレフタレートの如き適宜の合成樹脂から形成することができる容器の口頸部５４は略円筒形状であり、その外周面上端部には半径方向外方に突出する環状係止あご部５６が形成されている。容器蓋２の本体部４は、容器の口頸部５４の上端部を内側垂下壁２６と外側垂下壁３０との間に受け入れて、口頸部５４に装着される。外側垂下壁３０の内周面の下端部に形成されている環状突条３４が口頸部５４の係止あご部５６の下方に係止され、これによって口頸部５４に本体部４が係止される。内側垂下壁２６の外周面が口頸部５４の内周面に密接せしめられると共に、内側垂下壁２６と外側垂下壁３０との間にて主壁１２の下面が口頸部５４の上端部に密接せしめられ、これによって口頸部５４が密封される。冠帽部６は、通常、図３に示す閉位置に位置せしめられている。冠帽部６が閉位置に位置せしめられると、スカート部４２の内周面に形成されている被係止手段５０が本体部４の突出壁２８の外周面に形成されている係止手段３２の下方に係止せしめられ、これによって冠帽部６が閉位置に係止せしめられている。冠帽部６のシール壁４６の内周面は本体部４の注出案内壁２２の外周面上部に密接せしめられ、冠帽部６の突出部４４の外周面は本体部４の注出案内壁２２の内周面上部に密接せしめられる。
【００１４】
容器内に収容されている液体を注出する際には、冠帽部６を図３に示す閉位置から図１及び図２に示す開位置（或いは図１及び図２に示す位置より本体部４に向けて幾分旋回せしめられた開位置）に旋回開動せしめる。次いで、引張リング２０に指を掛けて上方に引っ張ると、主壁１２に形成されている破断ライン１６が破断され、引張リング２０及び連結柱１８と共に主壁１２の切取領域１４が本体部４から分離され、主壁１２に流出開口が生成される。しかる後においては、容器全体を傾動せしめることによって、流出開口を通じて容器内の液体を注出することができる。流出開口を通して注出される液体は、本体部４の注出案内壁２２に案内されて円滑に注出される。
【００１５】
所要量の液体の注出が終了すると、冠帽部６を図３に示す閉位置方向に旋回閉動せしめる。図４に示す如く、冠帽部６が閉位置に対して５度＜α＜１５度、好ましくは８度＜α＜１２度、である角度αをなす角度位置まで旋回せしめられると、シール壁４６の被係合突条４８が注出案内壁２２の係合突条２４に干渉し始める。かかる干渉に抗して冠帽部６を更に旋回閉動せしめると、被係合突条４８が係合突条２４を弾性的に乗り越える。かくすると、注出案内壁２２及びシール壁４６の弾性復元作用に起因して冠帽部６の旋回閉動が促進され、通常は、冠帽部６は図３に示す閉位置まで旋回閉動せしめられ、冠帽部６の被係止手段５０が本体部４の係止手段３２を弾性的に乗り越える。
【００１６】
而して、冠帽部６のシール壁４６の被係合突条４８が注出案内壁２２の係合突条２４に干渉し始める冠帽部６のの角度位置は、冠帽部６の閉位置に対して比較的大きな角度αをなす。従って、冠帽部６がかかる角度位置になった時点にて使用者が、冠帽部６が閉位置になったと誤解する虞は実質上皆無である。従って使用者は上記角度αを超えて冠帽部６を旋回閉動せしめ、従って冠帽部６は閉位置に対して比較的小さい角度βをなす状態、即ち図５に図示する状態までは必然的に旋回閉動せしめられる。そして図５に図示する状態まで旋回閉動せしめられると、シール壁４６の被係合突条４８が注出案内壁２２の係合突条２４を乗り越えると共に、周方向全体に渡ってシール壁４６の内周面が注出案内壁２２の外周面に密接せしめられる。従って冠帽部６が閉位置にせしめられることなく図５に図示する状態にせしめられて放置されたとしても、容器を誤まって倒しても内容物が漏出することがなく、そしてまた微小な虫が容器内へ侵入することが充分確実に防止される。上記角度βは、β＜αであると共に、１度＜β＜７度、好ましくは２度＜β＜４度、であることが重要である。
【００１７】
【発明の効果】
本発明の容器蓋においては、冠帽部が閉位置に対して著しく小さい角度をなす角度位置まで旋回閉動せしめられたが閉位置まで旋回閉動せしめられることなく放置された場合でも、容器を誤って倒してしまっても内容物の流出が防止され、そしてまた微小な虫が容器内に侵入することが阻止されるようにせしめることである。
【図面の簡単な説明】
【図１】本発明に従って構成された容器蓋を、その冠帽部を開位置にせしめた状態で示す断面図。
【図２】図１に示す容器蓋を、図１に示す状態で示す平面図。
【図３】図１に示す容器蓋を、その冠帽部を閉位置にせしめた状態で示す断面図。
【図４】冠帽部を図１及び図２に示す位置から、図３に示す位置に対して角度αをなす角度位置まで旋回閉動せしめ、シール壁の被係合突条が注出案内壁の係合突条にに干渉し始めた状態を示す断面図。
【図５】冠帽部を図１及び図２に示す位置から、図３に示す位置に対して角度βをなす角度位置まで旋回閉動せしめ、周方向全体に渡ってシール壁の内周面が注出案内壁の内周面に密接せしめられた状態を示す断面図。
【符号の説明】
２：容器蓋
４：本体部
６：冠帽部
１０：旋回中心軸線
１２：主壁
１４：切取領域
２２：注出案内壁
２４：係合突条
３２：係止手段
４０：天面壁
４２：スカート壁
４６：シール壁
４８：被係合突条
５０：被係止手段
【図１】
0004652600.tif 000002
【図２】
0004652600.tif 000003
【図３】
0004652600.tif 000004
【図４】
0004652600.tif 000005
【図５】
0004652600.tif 000006